(57)【要約】【課題】  使い方が分かりやすく、人体の様々な部位に適用可能な押圧器具を提供する。【解決手段】  肩を押圧する場合、各指１６〜２４を適宜曲げて、押圧器具１０が使用者１００の肩１０２にかかるようにする。次に、使用者１００は、自分の手１０４で押圧器具１０の腕１２を持ち、手１４の指１６〜２４を肩１０２に掛け、スイッチ５６を入れる。すると、電源から電力が揺動機構に供給され、指１８〜２４が揺動する。このような動きにより、使用者１００の肩１０２に押圧器具１０の指先が当たるようになり、肩１０２が繰り返し押圧される。【選択図】図１
2007037805.tif 000002
【特許請求の範囲】
【請求項１】
人体の適宜部位を押圧する押圧器具であって、
外側は、人体の腕から指に至る形状となるように、曲折自在の材料によって構成されており、手は少なくとも一つの指を備えており、前記腕もしくは手は、前記指を揺動ないし往復運動させるための駆動手段を有することを特徴とする押圧器具。
【請求項２】
前記指が複数あるときに、前記駆動手段を複数の指に対して共通に設け、複数の指を同時に駆動することを特徴とする請求項１記載の押圧器具。
【請求項３】
前記指が複数あるときに、前記駆動手段を各指ごとに設け、複数の指を個別の態様で駆動することを特徴とする請求項１記載の押圧器具。
【請求項４】
前記指が屈曲可能であることを特徴とする請求項１〜３のいずれかに記載の押圧器具。
【発明の詳細な説明】
【技術分野】
【０００１】
本発明は、押圧器具（ないし指圧器具）に関し、更に具体的には、押圧によって刺激を与える押圧器具に関するものである。
【背景技術】
【０００２】
押圧によって刺激を与えるようにした従来技術としては、例えば、下記特許文献１記載のマッサージ器がある。これは、略Ｕ字状に成形し、かつ、拡縮可能なアームの一端に、肩等のこり部を押さえる押圧子を設け、他端に該こり部を前記押圧子とで挟む挟圧子と、取手とを取付けた構造となっている。
【特許文献１】特開平９−１９２２００号公報
【発明の開示】
【発明が解決しようとする課題】
【０００３】
しかしながら、上述した特許文献１記載の従来技術では、押圧子を良好にこり部に当てることができなかったり、あるいは、挟圧子側で押圧してしまう可能性があり、必ずしも使い勝手がよいとはいえない。
【０００４】
本発明は、以上の点に着目したもので、使い方が分かりやすく、人体の様々な部位に適用可能な押圧器具を提供することを、その目的とするものである。
【課題を解決するための手段】
【０００５】
前記目的を達成するため、本発明は、人体の適宜部位を押圧する押圧器具であって、外側は、人体の腕から指に至る形状となるように、曲折自在の材料によって構成されており、手は少なくとも一つの指を備えており、前記腕もしくは手は、前記指を揺動ないし往復運動させるための駆動手段を有することを特徴とする。
【０００６】
主要な形態の一つは、前記指が複数あるときに、前記駆動手段を複数の指に対して共通に設け、複数の指を同時に駆動することを特徴とする。他の形態の一つは、前記指が複数あるときに、前記駆動手段を各指ごとに設け、複数の指を個別の態様で駆動することを特徴とする。更に他の形態は、前記指が屈曲可能であることを特徴とする。本発明の前記及び他の目的，特徴，利点は、以下の詳細な説明及び添付図面から明瞭になろう。
【発明の効果】
【０００７】
本発明によれば、人体の腕から指に至る形状となっているため、人間の手による押圧と同じようにすればよく、使い方が分かりやすい。また、人体の適宜の部位に適用できる。
【発明を実施するための最良の形態】
【０００８】
以下、本発明を実施するための最良の形態を、実施例に基づいて詳細に説明する。
【実施例１】
【０００９】
図１には、本実施例の押圧器具１０が示されている。図１(A)に外観を示すように、押圧器具１０は、全体が人体の腕先の形状，すなわち、前腕から指先に至る形状となっている。詳述すると、腕１２に手１４が設けられており、手１４は、親指１６，人差指１８，中指２０，薬指２２，小指２４を備えている。押圧器具１０の内部には、図２(A)に示す機構部５０が設けられており、この機構部５０の表面は、シリコン樹脂などのゴム材による被覆５２によって覆われている。
【００１０】
図２(B)には、機構部５０内の主要構成が示されている。これら図２(A)，(B)に示すように、前記機構部５０は、前記腕１２から手１４に至る人体特徴に沿った形状を有するケース５４内に、スイッチ５６，電源５８，揺動機構６０〜６６を設けた構成となっている。これらのうち、電源５８は、揺動機構６０〜６６を駆動するためのもので、スイッチ５６が「ＯＮ」となると、電源５８から電力が揺動機構６０〜６６に供給されるようになっている。揺動機構６０〜６６は、公知のリンク機構，クランク機構などの往復駆動機構によって構成されている。
【００１１】
揺動機構６０〜６６は、上述した各指１８〜２４にそれぞれ対応しており、これら各指１８〜２４の心棒（人体の骨に相当）７０〜７６を、手１４の掌側方向に往復揺動させる機能を備えている。例えば、揺動機構６０は、人差指１８の心棒７０を揺動させるという具合である。なお、親指１６の心棒６８は、上述したケース５４の適宜位置に取り付けられている。
【００１２】
各心棒６８〜７６は、例えば金属棒などによって形成されており、ある程度の力を与えれば曲折できるようになっている。また、各心棒６８〜７６は、被覆５２で覆われており、外観が指の形状となっている。例えば、親指１６は、図１(B)に示すように、心棒６８が被覆５２で覆われており、被覆５２が親指の形状となっている。他の指についても同様である。
【００１３】
次に、本実施例の動作について説明する。本実施例の押圧器具１０を用いて例えば肩を押圧するような場合は、図１(C)に示すようになる。まず、各指１６〜２４を適宜曲げて、押圧器具１０が使用者１００の肩１０２にかかるようにする。次に、使用者１００は、自分の手１０４で押圧器具１０の腕１２を持ち、手１４の指１６〜２４を肩１０２に掛け、スイッチ５６を入れる。すると、電源５８から電力が揺動機構６０〜６６に供給され、指１８〜２４が揺動するようになる。図３(A)にはその様子が示されており、指１８〜２４は、実線位置と点線位置との間で揺動ないし往復運動する。このような動きにより、使用者１００の肩１０２に押圧器具１０の指先が当たるようになり、肩１０２が繰り返し押圧される。
【００１４】
以上のように、本実施例によれば、押圧器具全体が人体の腕から指に至る形状となっているため、使い方が大変分かりやすい。また、指を曲折することで、人体の様々な部位に適用することができ、非常に使い勝手がよい。
【実施例２】
【００１５】
次に、図３(B)を参照しながら、本発明の実施例２を説明する。上述した実施例１では、４本の指１８〜２４を同一方向に揺動させたが、１本づつ順番に揺動させるようにしてもよい。揺動機構６０〜６６が各指毎に設けられているので、４本の指１８〜２４は、更に多様な動きが可能である。図３(B)の例は、小指２４が最初に手のひら側に揺動し、次に薬指２２が揺動し、次に中指２０が揺動し、次に人差指１８が揺動する。すなわち、４本の指が順番に人体を押圧するようになる。
【００１６】
他の駆動形態としては、以下のようなものがある。これらの場合、動作モードを切り換えるためのスイッチを設けるようにする。
(1)揺動の位相が各指で異なるように設定する。例えば、外側の人差指１８，小指２４を同時に駆動し、遅れて、内側の中指２０，薬指２２を同時に駆動するという具合である。
(2)一部の指についてのみ揺動する。例えば、外側の人差指１８，小指２４の駆動を停止し、内側の中指２０，薬指２２を同時に駆動するという具合である。
(3)揺動量を指ごとに設定する。例えば、人差指１８の駆動量を最も大きく、中指２０，薬指２２，小指２４となるに従って順に駆動量を小さくするという具合である。
(4)揺動の周期を指ごとに設定する。例えば、人差指１８はゆっくり揺動させ、小指２４は早く揺動させるという具合である。
(5)揺動の速度を変化させる。指による押圧の速度を早くすると、人体を叩くような感じになる。
【００１７】
このように、本実施例によれば、各指が多様な動きをするので、人体の状況に応じた押圧を行うことが可能となる。
【００１８】
なお、本発明は、上述した実施例に限定されるものではなく、本発明の要旨を逸脱しない範囲内において種々変更を加え得ることができる。例えば、以下のものも含まれる。
(1)前記実施例は、人体と同じ５本指の場合であるが、指の本数は必要に応じて適宜増減してよい。また、揺動機構も、必ず各指ごとに設ける必要はなく、複数の指に対して一つの揺動機構を設けるようにしてもよい。例えば、中指と薬指を一つの揺動機構で駆動するという具合である。この場合、他の指は、省略してもよいし、手の内側に折り曲げてもよい。親指も同様であり、省略してもよいし、手の内側に折り曲げてよい。
(2)揺動機構としては、回転モータを用いたクランク機構やリンク機構でもよいし、リニアモータを利用したものでもよいし、磁石を利用したものなど、公知の手段を用いてよい。前記実施例では、電源を押圧器具内に収納したが、商用電源を使用してもよい。
(3)加えて、親指に揺動機構を設けることを妨げるものでもないし、更に、手首が曲折可能な構成としてもよい。
【産業上の利用可能性】
【００１９】
本発明によれば、使い方が分かりやすく、人体の様々な部位に適用可能であり、マッサージ器具，指圧器具，バイブレータなどに好適である。
【図面の簡単な説明】
【００２０】
【図１】本発明の実施例の外観と使用状態の一例を示す図である。
【図２】本発明の実施例の内部構造を示す図である。
【図３】本発明の実施例の動作を示す図である。
【符号の説明】
【００２１】
１０：押圧器具
１２：腕
１４：手
１６：親指
１８：人差指
２０：中指
２２：薬指
２４：小指
５０：機構部
５２：被覆
５４：ケース
５６：スイッチ
５８：電源
６０〜６６：揺動機構
６８〜７６：心棒
１００：使用者
１０２：肩
１０４：手
【図１】
2007037805.tif 000003
【図２】
2007037805.tif 000004
【図３】
2007037805.tif 000005